(57)【要約】【課題】使用者が吐出量の調整量を確認しつつ、簡便に調整を行い吐出量を可変とする容器、当該容器のための中栓の構造を提供せんとするものである。【解決手段】相対的に回転する固定部側と回転部側とを備える吐出量調整機構を容器口部に設け、固定部側は容器口部に固定的に装着され、回転部側は固定部側に相対的回転を自由にして装着されており、該固定部側と回転部側に中心を合致させて非円形の開口が形成されており、非円形の開口は固定部側と回転部側との相対的な回転によって開口の整合面積が変化し吐出量を可変とし得るようになっていることを特徴とし、回転部側は、外部から使用者が指先で容易に回転操作することが可能である。【選択図】  図１
2004359309.tif 000002
【特許請求の範囲】
【請求項１】
相対的に回転する固定部側と回転部側とを備える吐出量調整機構を容器口部に設け、固定部側は容器口部に固定的に装着され、回転部側は固定部側に相対的回転を自由にして装着されており、該固定部側と回転部側に中心を合致させて非円形の開口が形成されており、非円形の開口は固定部側と回転部側との相対的な回転によって開口の整合面積が変化し吐出量を可変とし得るようになっていることを特徴とする吐出量を可変とする容器。
【請求項２】
回転部側は、外部から使用者が指先で容易に回転操作することが可能であることを特徴とする請求項１記載の容器。
【請求項３】
固定部側と回転部側は、相対的に回転する固定板と回転板を有し、両板に中心を合致させて非円形の吐出孔が形成されており、該非円形の吐出孔の相対的な回転により、両孔の合致によりもたらされる開口面積を変更させて、吐出量を調節可能としたことを特徴とする請求項１又は２記載の容器。
【請求項４】
非円形の吐出孔は、楕円形、円形の一部を外径方向に拡開した形状、円形の外周縁から外方に歯車状の延出部を形成した形状から選択された形状であることを特徴とする請求項１乃至３のいずれかに記載の容器。
【請求項５】
回転部側は固定部側に回転自在に保持されたボール体からなり、該ボール体に面積の異なる吐出孔を複数形成し、ボール体の回転によりいずれかの面積の吐出孔を選択して、固定部側の吐出孔に合致させるようにしたことを特徴とする請求項１記載の容器。
【請求項６】
ボール体は好ましくは中空の球体からなり、外部隔壁に面積の異なる複数の開口を位置を異ならせて形成し、該開口を吐出孔となし、ボール体を回転して所望の口径の開口を選択して固定部側の吐出孔に整合させるようにしたことを特徴とする請求項５記載の容器。
【発明の詳細な説明】
【０００１】
【発明の属する分野】
この発明は、使用者が中味の吐出量を任意に変更、調節し得る容器、特のそのための中栓に関する。
【０００２】
【従来の技術】
従来、中味の吐出量を調節可能とする中栓を備えた容器は、公知であり、例えば実開昭４８−１０３４６６号、特開２００２−３６０３３７、特開２００１−３２２６６０，特開２０００−１４２７５５，特開２０００−２５８１０等の公報に開示されている。
【０００３】
実開昭４８−１０３４６６号公報に開示された流量調整可能キャップ体を有する容器は、容器口部に長孔状の連通口を穿孔した中栓体を固定的に装着し、容器口部を閉止するキャップに長孔状の抽出口を形成し、両者の長孔の合致した面積で吐出量を調整するようにしたものである。特開２００２−３６０３３７号公開公報に開示されたルーズパウダー容器は、ファンデーション、白粉等のパウダー類の流出量を、調整孔の口径と個数とによって調整するようにしたものであり、特開２００１−３２２６６０号公報に開示された吐出量調整用中栓は、中栓の内奥部に形成された開口の開度をシャッター板で増減させて、吐出量を調整するようにしたものである。特開２０００−１４２７５５号公報に開示された容器用中栓体は、中栓体に外部から操作可能な操作棒部を植立し、操作棒部を指で操作して、弁機構を開閉操作し、流量を調整するようにしたものである。特開２０００−２５８１０号公報に開示の口栓は、流出口の数が異なるスパウトを交換して流量を調整可能としたものである。
【０００４】
しかしながら、実開昭４８−１０３４６６号公報に開示された構造では、中栓体とキャップが、相互に組み合わせれたユニット体ではなく、個別に容器口部に配設される構造となっているために、容器に取り付けるまでは個別に保管、管理しなければならず、在庫や納品の管理が面倒であった。特開２０００−３６０３３７号公報に開示の調整孔の口径と個数とにより流出量を調整する構造では、調整を無段階で変更することが出来ないと共に、開放される調整孔により流出状態が異なるため、中味が液体である場合解放された孔の位置により流出方向が変化し、使用しづらい問題がある。又、特開２００１−３２２６６０号公報に開示の吐出量を調整する機構が中栓の内奥部に設けられている構造では、調整状態を確認することができない問題がある。特開２０００−１４２７５５号公報に開示の外部から操作可能な操作棒部で弁機構を操作する構造では、吐出孔の中央部内に操作棒部が位置しているため、流出する中味が操作棒部に付着し操作時に指が汚れる問題がある。特開２０００−２５８１０号公報に開示の流出量を変更する都度、スパウトを交換しなければならず、不便であると共に、スパウトを紛失するおそれもある。
【０００５】
【特許文献１】
実開昭４８−１０３４６６号公開公報
【特許文献２】
特開２００２−３６０３３７号公開公報
【特許文献３】
特開２００１−３２２６６０号公開公報
【特許文献４】
特開２０００−１４２７５５号公開公報
【特許文献５】
特開２０００−２５８１０号公開公報
【０００６】
【発明が解決しようとする課題】
この発明は、使用者が吐出量の調整量を確認しつつ、簡便に調整を行い吐出量を可変とする容器、当該容器のための中栓の構造を提供せんとするものである。
【０００７】
【課題を解決するための手段】
上記課題を解決するためにこの発明が採った手段は、相対的に回転する固定部側と回転部側とを備える吐出量調整機構を容器口部に設け、固定部側は容器口部に固定的に装着され、回転部側は固定部側に相対的回転を自由にして装着されており、該固定部側と回転部側に中心を合致させて非円形の開口が形成されており、非円形の開口は固定部側と回転部側との相対的な回転によって開口の整合面積が変化し吐出量を可変とし得るようになっていることを特徴とし、回転部側は、外部から使用者が指先で容易に回転操作することが可能である。
【０００８】
固定部側と回転部側は、相対的に回転する固定板と回転板を有し、両板に中心を合致させて非円形の吐出孔が形成されており、該非円形の吐出孔の相対的な回転により、両孔の合致によりもたらされる開口面積を変更させて、吐出量を調節可能としたことを特徴とする。
【０００９】
非円形の吐出孔は、楕円形、円形の一部を外径方向に拡開した形状、円形の外周縁から外方に歯車状の延出部を形成した形状から選択された形状であることを特徴とする。
【００１０】
回転部側は固定部側に回転自在に保持されたボール体からなり、該ボール体に面積の異なる吐出孔を複数形成し、ボール体の回転によりいずれかの面積の吐出孔を選択して、固定部側の吐出孔に合致させるようにしたことを特徴とする。
【００１１】
ボール体は好ましくは中空の球体からなり、外部隔壁に面積の異なる複数の開口を位置を異ならせて形成し、該開口を吐出孔となし、ボール体を回転して所望の口径の開口を選択して固定部側の吐出孔に整合させるようにしたことを特徴とする。
【００１２】
【発明の実施の形態】
この発明の好ましい実施の形態を、以下に詳細に説明する。この発明の吐出量を可変とする容器は、相対的に回転する固定部側と回転部側とを備える吐出量調整機構を容器口部に設け、該吐出量調整機構は相対的な回転によって開口面積が変化する吐出孔を有していることを特徴とする。相対的に回転する固定部側と回転部側を備える吐出量調整機構は、好ましくは容器の口部に装着される中栓に設けられ、吐出孔の開口面積は容器の口部外方から確認可能である。回転部側は、外部から使用者が指先で容易に回転操作することが可能である。
【００１３】
吐出量調整機構は、好ましくは相対的に回転する固定板と回転板とからなり、両板に中心を合致させて非円形の吐出孔が形成されており、該非円形の吐出孔の相対的な回転により、両孔の合致によりもたらされる開口面積を変更させて、吐出量を調節可能とする。非円形の吐出孔は、楕円形、円形の一部を外径方向に拡開した形状、円形の外周縁から外方に歯車状の延出部を形成した形状等任意の形状を採ることができる。
【００１４】
又、回転部側は固定部側に回転自在に保持されたボール体からなり、該ボール体に面積の異なる吐出孔を複数形成し、ボール体の回転によりいずれかの面積の吐出孔を選択して、固定部側の吐出孔に合致させるようにしたものであっても良い。ボール体は好ましくは中空の球体からなり、外部隔壁に面積の異なる複数の開口を位置を異ならせて形成し、該開口を吐出孔となし、ボール体を回転して所望の口径の開口を選択して固定部側の吐出孔に整合させる。
【００１５】
【実施例】
図１〜１１を参照して、この発明の実施例を詳細に説明する。まず、図１〜５を参照して、（１）は容器本体であり、口部（２）にこの発明にかかる中栓（３）が装着される。中栓（３）は、容器の口部（２）に固着される固定部側部材（４）と該固定部側部材に組み合わされ、相対的な回転を自在とする回転側部材（５）とを備える。固定部側部材（４）と回転側部材（５）は互いに相対的な回転を自在にされており、該回転に随伴して相対的に回転する固定板（６）と回転板（７）が重畳されている。
【００１６】
固定板（６）と回転板（７）には中心を合致させて非円形の開口（８）（９）が形成される。図１〜５に示す両開口（８）（９）は、円形の外周縁に扇形の開口を連接した形状を有し、回転により図３〜５に示すように中央の円形部のみが合致する最小開口面積から扇形の開口が合致する最大開口面積のまでの間において、任意に開口面積を変更することができ、吐出量を調整可能である。
【００１７】
回転板（７）を備える回転側部材（５）には、口部から外方に延び出す筒状延出部（１０）が一体に形成されており、該筒状延出部（１０）を指先で回転することが可能である。吐出量を調整する開口（８）（９）を形成した固定板（６）、回転板（７）は口部（２）の外端に装着される中栓（３）の開口端に近接して配置されており、外部から使用者が筒状延出部（１０）を回転させ、回転に伴って整合してくる開口面積を外部から視認して、調整量を容易に確認することができる。
【００１８】
図６〜９は開口の一変形を示し、開口（８ａ）（９ａ）は、円形の外周部に歯車状の延出部を連接した形状を有し、該歯車状の延出部の部分が閉止される最小開口面積と開放される最大開口面積との間において、開口面積を任意に変更することができる。尚、開口（８）（９）の形状は、図１〜９に示す形状に限られないことは勿論であり、楕円形、卵形、三角形・台形等の方形の如き非円形状であれば原則として採用することができる。
【００１９】
図１０〜１２は、固定部側部材（４）に球形の保持孔を形成し、該保持孔（１１）内に回転自在にボール状の回転部材（１２）を装着し、回転部材（１２）に形成した開口面積の異なる複数の吐出孔（１３）を選択して、吐出量を調整するようにしたものである。回転部材（１２）は、中空の球体からなり外部隔壁（１４）に吐出孔（１３）が形成されており、回転させて、任意の開口径の吐出孔（１３）を選択する。
【００２０】
【発明の効果】
この発明によれば、簡便に吐出量を任意に調整することができると共に、使用者が調整した吐出量を容易に確認することが可能である。
【図面の簡単な説明】
【図１】この発明にかかる吐出量可変の中栓体を適用した容器の要部の断面斜視図
【図２】中栓体の断面斜視図
【図３】同平面図
【図４】最大開口面積の状態を示す平面図
【図５】最小開口面積の状態を示す平面図
【図６】中栓体の一変形を示す断面斜視図
【図７】同平面図
【図８】最大開口面積の状態を示す平面図
【図９】最小開口面積の状態を示す平面図
【図１０】中栓体の他の変形を示す断面斜視図
【図１１】同断面図
【図１２】最小開口面積の吐出孔を整合させた状態の断面斜視図
【符号の説明】
（１）容器本体
（２）口部
（３）中栓
（４）固定部側部材
（５）回転側部材
（６）固定板
（７）回転板
（８）開口
（９）開口
（１０）筒状延出部
（１１）保持孔
（１２）回転部材
（１３）吐出孔
（１４）外部隔壁
【図１】
2004359309.tif 000003
【図２】
2004359309.tif 000004
【図３】
2004359309.tif 000005
【図４】
2004359309.tif 000006
【図５】
2004359309.tif 000007
【図６】
2004359309.tif 000008
【図７】
2004359309.tif 000009
【図８】
2004359309.tif 000010
【図９】
2004359309.tif 000011
【図１０】
2004359309.tif 000012
【図１１】
2004359309.tif 000013
【図１２】
2004359309.tif 000014